【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
安全保障すべき情報（１６）を備えた集合体（１０）であって、
前記安全保障すべき情報（１６）が上に設けられた対象物（２０）と、
該対象物（２０）よりも小さい底面を有し、かつ前記安全保障すべき情報（１６）を覆う安全保障用カバーステッカ（１４）とを包含する集合体（１０）において、
前記対象物（２０）と前記安全保障すべき情報（１６）との間に配置された付加層（３０，３２，４２，４６）を備え、
該付加層は、前記対象物（２０）上に直接的に配置されたインク層またはラッカー層（３０，３４，４０）を含み、
前記付加層（３０，３２，４２，４６）の前記カバーステッカ（１４）に対する接着力が、少なくとも部分的な領域において、前記付加層（３０，３２，４２，４６）の前記対象物（２０）に対する接着力よりも大きいことを特徴とする集合体（１０）。
【請求項２】
前記安全保障すべき情報（１６）が、前記付加層（３０，３２，４２，４６）上にインクジェットにより印刷されていることを特徴とする請求項１記載の集合体（１０）。
【請求項３】
前記安全保障すべき情報（１６）が、前記付加層（３０，３２，４２，４６）上に黒色で施されていることを特徴とする請求項１または２記載の集合体（１０）。
【請求項４】
前記付加層が１層のインク層（３０）により形成されていることを特徴とする請求項１から３のいずれか１項記載の集合体（１０）。
【請求項５】
前記付加層が、多層積層体（３２，４２，４６）によって形成され、かつ少なくとも１層の上部インク層（３６）と、前記対象物（２０）と前記上部インク層（３６）との間に配置された、前記インク層またはラッカー層としての、少なくとも１層のラッカー層（３４）とを備えていることを特徴とする請求項１から３のいずれか１項記載の集合体（１０）。
【請求項６】
前記ラッカー層が紫外線硬化ラッカー（３４）で形成されていることを特徴とする請求項５記載の集合体（１０）。
【請求項７】
前記安全保障すべき情報（１６）の下方に位置しているインク層（３０，３６）は、単色インク層で形成されていることを特徴とする請求項４から６のいずれか１項記載の集合体（１０）。
【請求項８】
前記安全保障すべき情報（１６）の下方に位置しているインク層（３０，３６）が、前記安全保障すべき情報（１６）と色彩を調和せしめられて、前記安全保障すべき情報（１６）とその下方に位置しているインク層（３０，３６）との間に高いコントラストを生じさせていることを特徴とする請求項４から７のいずれか１項記載の集合体（１０）。
【請求項９】
前記多層積層体（４６）が、前記ラッカー層（３４）と前記安全保障すべき情報（１６）の下方に位置している上部インク層（３６）との間に配置された第２のインク層（４４）を備えていることを特徴とする請求項５から８のいずれか１項記載の集合体（１０）。
【請求項１０】
前記第２のインク層（４４）が不規則な模様を有することを特徴とする請求項９記載の集合体（１０）。
【請求項１１】
前記第２のインク層（４４）が、前記安全保障すべき情報（１６）に対応する特徴を有する贋の情報を含むことを特徴とする請求項９または１０記載の集合体（１０）。
【請求項１２】
前記付加層（３０，３２，４２，４６）の前記カバーステッカ（１４）に対する接着力が、前記付加層（３０，３２，４２，４６）の前記対象物（２０）に対する接着力よりも大きいことを特徴とする請求項１から１１のいずれか１項記載の集合体（１０）。
【請求項１３】
第１の領域においては、前記付加層（３０，３２，４２，４６）の前記カバーステッカ（１４）に対する接着力が、前記付加層（３０，３２，４２，４６）の前記対象物（２０）に対する接着力よりも大きく、かつ第２の領域においては、前記付加層（３０，３２，４２，４６）の前記カバーステッカ（１４）に対する接着力が、前記付加層（３０，３２，４２，４６）の前記対象物（２０）に対する接着力よりも小さいことを特徴とする請求項１から１１のいずれか１項記載の集合体（１０）。
【請求項１４】
前記第１および第２の領域が微細構造を形成していることを特徴とする請求項１３記載の集合体（１０）。
【請求項１５】
前記第１および第２の領域が不規則構造を形成していることを特徴とする請求項１３または１４記載の集合体（１０）。
【請求項１６】
前記第１および第２の領域の大きさおよび形状が、前記カバーステッカ（１４）の剥取り後はもはや前記安全保障すべき情報（１６）の判読が不能なように前記安全保障すべき情報（１６）に調和せしめられていることを特徴とする請求項１３から１５のいずれか１項記載の集合体（１０）。
【請求項１７】
前記付加層（４２）は、接着力が局部的に異なるように調整する手段（３８，４０）を備えていることを特徴とする請求項１３から１６のいずれか１項記載の集合体（１０）。
【請求項１８】
前記接着力が局部的に異なるように調整する手段が、前記安全保障すべき情報（１６）と前記対象物（２０）との間において該対象物（２０）に局部的に施された非付着性ラッカー（３８）を備えていることを特徴とする請求項１７記載の集合体（１０）。
【請求項１９】
前記接着力が局部的に異なるように調整する手段が、前記安全保障すべき情報（１６）と前記対象物（２０）との間において該対象物（２０）に局部的に施された付着促進剤（４０）を備えていることを特徴とする請求項１７または１８記載の集合体（１０）。
【請求項２０】
前記接着力が局部的に異なるように調整する手段（３８，４０）が、印刷によって前記対象物（２０）に施されていることを特徴とする請求項１７から１９のいずれか１項記載の集合体（１０）。
【請求項２１】
前記付加層（３０，３２，４２，４６）が前記対象物（２０）上に印刷されたものであることを特徴とする請求項１から２０のいずれか１項記載の集合体（１０）。
【請求項２２】
前記付加層（３０，３２，４２，４６）がオフセット印刷により前記対象物（２０）上に印刷されたものであることを特徴とする請求項２１記載の集合体（１０）。
【請求項２３】
前記安全保障すべき情報（１６）が数列であることを特徴とする請求項１から２２のいずれか１項記載の集合体（１０）。
【請求項２４】
前記集合体（１０）が有価書類であることを特徴とする請求項１から２３のいずれか１項記載の集合体（１０）。
【請求項２５】
前記カバーステッカ（１４）が接着性ラベルであることを特徴とする請求項１から２４のいずれか１項記載の集合体（１０）。
【請求項２６】
前記前記付加層（３０，３２，４２，４６）が、前記安全保障すべき情報（１６）を含む情報区画（１２）の大きさで前記対象物（２０）上に形成されていることを特徴とする請求項１から２５のいずれか１項記載の集合体（１０）。
【請求項２７】
前記カバーステッカ（１４）が前記付加層よりも大きい底面を有することを特徴とする請求項１から２６のいずれか１項記載の集合体（１０）。
【請求項２８】
安全保障すべき情報（１６）を備えた集合体（１０）の製造方法であって、
ａ）前記情報を備えるべき対象物（２０）を提供し、
ｂ）該対象物（２０）に対して一様なまたは局部的に異なる第１の接着力をもって付加層（３０，３２，４２，４６）を施し、この場合、該付加層は、前記対象物（２０）上に直接的に配置されたインク層またはラッカー層（３０，３４，４０）を含み、
ｃ）前記安全保障すべき情報（１６）を前記付加層（３０，３２，４２，４６）に施し、
ｄ）前記対象物（２０）よりも小さい底面と、前記付加層（３０，３２，４２，４６）の前記対象物（２０）に対する前記第１の接着力よりも少なくとも部分領域において大きい第２の接着力とを有する安全保障カバーステッカ（１４）をもって前記安全保障すべき情報（１６）を覆う、
諸工程を含んでいることを特徴とする、安全保障すべき情報（１６）を備えた集合体（１０）の製造方法。
【請求項２９】
前記工程ｂ）において前記付加層としてインク層を施すことを特徴とする請求項２８記載の方法。
【請求項３０】
前記工程ｂ）において、
ｂ１）前記対象物に対する前記付加層の接着力を調整するラッカー層を、前記インク層またはラッカー層として前記対象物に施し、
ｂ２）前記ラッカー層にインク層を施すことを特徴とする請求項２８記載の方法。
【請求項３１】
ｂ３）現存するインク層に対し、異なる色彩および／または異なる模様のさらに別のインク層を施す工程を含むことを特徴とする請求項３０記載の方法。
【請求項３２】
前記工程ｂ）において、接着力を局部的に異ならす調整手段を前記対象物に施すことを特徴とする請求項２８から３１のいずれか１項記載の方法。
【請求項３３】
前記工程ｂ）において、前記付加層を印刷により施すことを特徴とする請求項２８から３２のいずれか１項記載の方法。
【請求項３４】
前記工程ｃ）において前記安全保障すべき情報を前記付加層上にインクジェットにより印刷することを特徴とする請求項２８から３３のいずれか１項記載の方法。
【請求項３５】
前記付加層を、前記安全保障すべき情報を含む情報区画の大きさで前記対象物に施すことを特徴とする請求項２８から３４のいずれか１項記載の方法。
【請求項３６】
前記カバーステッカを、前記付加層よりも大きい底面を有するように選択することを特徴とする請求項２８から３５のいずれか１項記載の方法。